(57)【要約】【課題】  テラス屋根の傾斜した垂木の出幅方向中間位置に，折畳み戸のガイドレールを支持するレール取付枠を垂木に直交して水平に設置する。【解決手段】  平行多数の垂木５の出幅方向同一位置にそれぞれ断面Ｕ字状の吊り部材２７を被嵌固定してその底壁３１に設置したボルト孔３２に螺装した各吊りボルト３４のボルト頭によってレール取付枠２０を支持する。吊り部材２７のボルト孔３２は垂木５の傾斜角度を吸収するようにこれと同一角度に傾斜配置して吊りボルト３４を垂直とし，そのボルト頭による支持は，レール取付枠２０上面の嵌合溝２１に嵌合したボルト受材３５をそれぞれ吊りボルト３４の位置にスライドしてそのボルト頭を受入れることによって行なう。【選択図】        図４
2005120728.tif 000002
【特許請求の範囲】
【請求項１】
傾斜配置した平行複数の長尺材と，該長尺材の長手方向中間位置に被嵌状に配置しその底壁に上記長尺材の傾斜角度と同一角度の傾斜ボルト孔を貫通設置した断面Ｕ字状の吊り部材と，該吊り部材の上記傾斜ボルト孔に傾斜螺装することによって吊り部材から垂直方向調整自在に垂下した吊りボルトと，該吊りボルトの下端に位置するボルト頭を受入れて上記平行複数の長尺材に直交し水平に吊り支持した直交材とを備えてなることを特徴とする直交材吊り支持構造。
【請求項２】
上記長尺材とこれを被嵌する吊り部材間に，該吊り部材を長尺材の長手方向にスライド案内自在に支持する一方を突条とし，他方を溝条としたスライドガイドを配置してなることを特徴とする請求項１に記載の直交材吊り支持構造。
【請求項３】
上記長尺材又は吊り部材におけるスライドガイド一方の突条又は溝条を上下に複数条平行に配置し，該複数条の突条又は溝条を上記吊り部材又は長尺材におけるスライドガイド他方の溝条又は突条に対して選択的に係合自在とし吊り部材の長尺材に対する被嵌深さを可変としてなることを特徴とする請求項２に記載の直交材吊り支持構造。
【請求項４】
上記直交材によるボルト頭の受入れを，該直交材の幅方向中央に配置したボルト受溝又は嵌合溝にスライド案内自在に嵌合配置したボルト受材にボルト頭を回転不能に受入れることによって行ってなることを特徴とする請求項１，２又は３に記載の直交材吊り支持構造。
【請求項５】
上記直交材にパネル受溝を配置し，該パネル受溝に長尺材間閉塞用のパネル下端を受入れ支持し，該パネルの側端を上記吊り部材と吊りボルトを被覆するように長尺材の側面に配置したカバー材に形成した垂直なパネル受溝に，パネル上端を長尺材間に架設した横枠の水平のパネル受溝にそれぞれ受入れ支持して隣接する長尺材間に形成される空間をパネルによって閉鎖してなることを特徴とする請求項１，２，３及び４に記載の直交材吊り支持構造。
【請求項６】
上記長尺材を屋外構築物における屋根の垂木とし，直交材を該屋根の出幅方向中間に配置した開口部材の開閉案内レール又はレール取付枠としてなることを特徴とする請求項１，２，３，４又は５に記載の直交材吊り支持構造。
【発明の詳細な説明】
【技術分野】
【０００１】
本発明は，平行複数の長尺材に直交材を吊り支持する直交材吊り支持構造に関する。
【背景技術】
【０００２】
例えばサンルームに典型的に見られるように，屋外構築物は屋根を備えるとともに該屋根は垂木，桁，中骨等の構造材を格子状に枠組みして構成するものとされ，その特に垂木は屋根の傾斜面をなすように傾斜配置されることが多いが，サンルームとして仕切をなす開口部材の開閉案内レール，特に上レールをこれに設置する場合，屋根構造材の前枠，特に支柱に架設した上枠における正面上方及び下方の２ヶ所にそれぞれＬ字状ブラケットの起立片をネジ止めし，該上下のＬ字状ブラケットの水平突片間に開閉案内レール，特に上レールの長手方向所定位置を正面側から嵌め込むように配置し，各水平突片から上レールの上面及び下面にネジを螺入することによって，これを屋根上枠の正面に重合するように固定するものとされ，このとき床面の対応位置に下レールを埋込設置し，上下に対向配置した開閉案内レール間に，折畳み戸，引戸等の開口部材を開閉自在に装着するものとされる。
【０００３】
【特許文献１】特公平７−２３６６８号公報
【発明の開示】
【発明が解決しようとする課題】
【０００４】
この場合，開閉案内レールは屋外構築物の屋根前枠に固定されることによって，その開口部材の設置は，常に屋外構築物の出幅方向先端位置に限られることになり，例えば屋根の出幅を大きくしてその出幅方向内側をサンルームとする如くに，屋外構築物の出幅方向中間位置に開口部材を設置することができない状況にある。この場合，例えば上記傾斜配置した垂木の長手方向中間位置に取付枠を水平に交差固定し，取付枠に開閉案内レールを支持するようにすれば，該支持材位置に開口部材を設置し得る可能性が生じるが，垂木が屋根出幅方向に傾斜しているために，取付枠が水平となるように交差固定することができない状況にある。
【０００５】
本発明はかかる事情に鑑みてなされたもので，その解決課題とするところは，例えば屋外構築物の傾斜屋根の出幅方向中間位置に開閉案内レール，該開閉案内レール取付用の取付枠を水平に設置し，また傾斜屋根の構造をなすように構造材同士を固定する如くに，傾斜配置した長尺材に対してその長手方向中間位置でこれに直交する直交材を水平に吊り支持し得るようにした直交材吊り支持構造を提供するにある。
【課題を解決するための手段】
【０００６】
上記課題に添って本発明は，傾斜配置した長尺材の長手方向中間位置に直交材を吊り支持することによってその交差固定を行なうようにするとともに該吊り部材をその底壁に長尺材の傾斜角度に応じて傾斜する傾斜ボルト孔を配置した断面Ｕ字状のものとし，これを長尺材の長手方向中間位置で該長尺材を抱持するように被嵌配置する一方，直交材に上記傾斜ボルト孔に上下逆向きに傾斜螺装したボルトのボルト頭を受入れるようにすることによって，該吊り部材とその傾斜螺装した長さ調整自在のボルトを介して直交材の水平な吊り支持を行い，これによって傾斜配置の長尺材の長手方向中間の適宜な位置において直交材を水平に交差固定し得るようにしたものであって，即ち請求項１に記載の発明を，傾斜配置した平行複数の長尺材と，該長尺材の長手方向中間位置に被嵌状に配置しその厚肉底部に上記長尺材の傾斜角度と同一角度の傾斜ボルト孔を貫通設置した断面Ｕ字状の吊り部材と，該吊り部材の上記傾斜ボルト孔に傾斜螺装することによって吊り部材から垂直方向調整自在に垂下した吊りボルトと，該吊りボルトの下端に位置するボルト頭を受入れて上記平行複数の長尺材に直交し水平に吊り支持した直交材とを備えてなることを特徴とする直交材吊り支持構造としたものである。
【０００７】
請求項２に記載の発明は，上記に加えて，上記長尺材を被嵌する吊り部材を，長尺材長手方向にスライド案内自在に支持することによって，例えば吊り部材を予め長尺材に支持し，長尺材長手方向に位置に調整を行なうことによって容易に直交材の吊り支持位置の配置をなし得るものとするように，これを，上記長尺材とこれを被嵌する吊り部材間に，該吊り部材を長尺材の長手方向にスライド案内自在に支持する一方を突条とし，他方を溝条としたスライドガイドを配置してなることを特徴とする請求項１に記載の直交材吊り支持構造としたものである。
【０００８】
請求項３に記載の発明は，同じく上記に加えて，該長尺材にスライド案内自在に支持した吊り部材の長尺材に対する被嵌深さを可変とすることによって，吊り部材の高さを複数段階に設定し，直交材の高さを適宜に選択し得るものとするように，これを，上記長尺材又は吊り部材におけるスライドガイド一方の突条又は溝条を上下に複数条平行に配置し，該複数条の突条又は溝条を上記吊り部材又は長尺材におけるスライドガイド他方の溝条又は突条に対して選択的に係合自在とし吊り部材の長尺材に対する被嵌深さを可変としてなることを特徴とする請求項２に記載の直交材吊り支持構造としたものである。
【０００９】
請求項４に記載の発明は，同じく上記に加えて，上記直交材に受入れたボルト頭の回転を簡易且つ確実に防止して，直交材の安定した吊り支持をなし得るものとするように，これを，上記直交材によるボルト頭の受入れを，該直交材の幅方向中央に配置したボルト受溝又は嵌合溝にスライド案内自在に嵌合配置したボルト受材にボルト頭を回転不能に受入れることによって行ってなることを特徴とする請求項１，２又は３に記載の直交材吊り支持構造としたものである。
【００１０】
請求項５に記載の発明は，同じく上記に加えて，水平に吊り支持した直交材と複数の長尺材間に形成される空間にパネルを配置することによって該空間を閉塞し得るようにし，例えば開口部材を設置した際の気密性を確保し得るものとするように，これを，上記直交材にパネル受溝を配置し，該パネル受溝に長尺材間閉塞用のパネル下端を受入れ支持し，該パネルの側端を上記吊り部材と吊りボルトを被覆するように長尺材の側面に配置したカバー材に形成した垂直なパネル受溝に，パネル上端を長尺材間に架設した横枠の水平のパネル受溝にそれぞれ受入れ支持して隣接する長尺材間に形成される空間をパネルによって閉鎖してなることを特徴とする請求項１，２，３及び４に記載の直交材吊り支持構造としたものである。
【００１１】
請求項６に記載の発明は，同じく上記に加えて，屋根出幅方向中間に開口部材を配置した屋外構築物を提供し得るように，上記長尺材を屋外構築物における屋根の垂木とし，直交材を該屋根の出幅方向中間に配置した開口部材の開閉案内レール又はレール取付枠としてなることを特徴とする請求項１，２，３，４又は５に記載の直交材吊り支持構造としたものである。
【００１２】
本発明は，これらをそれぞれ発明の要旨として，上記課題解決の手段としたものである。
【発明の効果】
【００１３】
本発明は以上のとおりに構成したから，請求項１に記載の発明は，傾斜配置した長尺材の長手方向中間位置に直交材を吊り支持することによってその交差固定を行なうようにするとともに該吊り部材をその底壁に長尺材の傾斜角度に応じて傾斜する傾斜ボルト孔を配置した断面Ｕ字状のものとし，これを長尺材の長手方向中間位置で該長尺材を抱持するように被嵌配置する一方，直交材に上記傾斜ボルト孔に上下逆向きに傾斜螺装したボルトのボルト頭を受入れるようにすることによって，該吊り部材とその傾斜螺装した長さ調整自在のボルトを介して直交材の水平な吊り支持を行い，例えば屋外構築物の傾斜屋根の出幅方向中間位置に開閉案内レール，該開閉案内レール取付用の取付枠を水平に設置し，また傾斜屋根の構造をなすように構造材同士を固定する如くに，傾斜配置した長尺材に対してその長手方向中間位置でこれに直交する直交材を水平に吊り支持し得るようにした直交材吊り支持構造を提供することができる。
【００１４】
請求項２に記載の発明は，上記に加えて，上記長尺材を被嵌する吊り部材を，長尺材長手方向にスライド案内自在に支持することによって，例えば吊り部材を予め長尺材に支持し，長尺材長手方向に位置に調整を行なうことによって容易に直交材の吊り支持位置の配置をなし得るものとすることができる。
【００１５】
請求項３に記載の発明は，同じく上記に加えて，該長尺材にスライド案内自在に支持した吊り部材の長尺材に対する被嵌深さを可変とすることによって，吊り部材の高さを複数段階に設定し，直交材の高さを適宜に選択し得るものとすることができる。
【００１６】
請求項４に記載の発明は，同じく上記に加えて，上記直交材に受入れたボルト頭の回転を簡易且つ確実に防止して，直交材の安定した吊り支持をなし得るものとすることができる。
【００１７】
請求項５に記載の発明は，同じく上記に加えて，水平に吊り支持した直交材と複数の長尺材間に形成される空間にパネルを配置することによって該空間を閉塞し得るものとすることができる。
【００１８】
請求項６に記載の発明は，同じく上記に加えて，屋根出幅方向中間に開口部材を配置した屋外構築物を提供することができる。
【発明を実施するための最良の形態】
【００１９】
以下図面の例に従って本発明を更に具体的に説明すれば，Ａは，例えば半屋外空間として屋内とも繋がる生活空間とすることによって用途や機能を充実したコンセプトに基づく屋外構築物として，図示省略の建物に付設したテラスであり，本例のテラスＡは，幅広にして出幅の大きなテラス屋根１の出幅方向先端の正面側両側のコーナー部及び該コーナー部間の中間部に３ヶ所の壁面８を配置するとともに背面側両側に支柱を配置してテラス屋根１を支持する一方，該テラス屋根１の両側から出幅方向前後中間位置にサンルームスペースを形成可能な開口部材１０を開閉自在に配置し，その前後方向前方に半屋外空間として屋根付開放スペース１４を配置した，主としてアルミ押出材を用いて組立施工したアルミ製のものとしてあり，該テラスＡは，更にそのテラス屋根１の一側妻側に該テラス屋根１の上記一方の壁面８と更に別の４ヶ所目の壁面８に支持して格子状のウッドルーフ１４を連結配置してこれを開放空間スペース１５としてあり，これによってテラスＡは上記開口部材１０を閉成してサンルームとして使用し，これを開放し又は上記半屋外空間のみを使用して屋根付開放スペース１４として，ウッドルーフ１５のスペース１５とともに，例えばパーティ，日曜大工作業等のアウトドアの用途に使用し得るようにしてある。
【００２０】
テラスＡは，そのテラス屋根１の上記出幅方向前後中間位置の開口部材１０位置に該開口部材１０の開閉案内レール１１，特にその上レールを設置し，図示省略のデッキ床面に下レールを設置して，上記開口部材１０を開閉案内してあり，このとき本例の開口部材１０はこれを折畳み戸として該上下レール間で正面側をフルオープンできるようにして，上記サンルームスペースを形成可能としてある。
【００２１】
本例にあって上記開閉案内レール１１は，テラス屋根１の下面にその左右方向に屋根横断状に水平に配置した直交材たるレール取付枠２０に図示省略のブラケット等によって固定してあり，このとき該直交材たるレール取付枠２０は，平行複数の長尺材，本例にあってはテラス屋根１の構造材をなすように多数平行に下向き傾斜配置したアルミ押出材による長尺材たる平行多数の垂木５にその長手方向中間を直交して水平に吊り支持し，またその長手方向両端をテラス屋根１の左右端部の構造材をなすように同じく建物側から下向きに傾斜配置したアルミ押出材による長尺材たる平行一対の妻梁３に突合せ架設することによって上記屋根横断状に水平配置したものとしてある。
【００２２】
上記傾斜配置した垂木５へのレール取付枠２０の水平の吊り支持は，吊り部材２７とこれに螺装した吊りボルト３４を用いることによって行なってあり，このとき吊り部材２７は，上記垂木５の長手方向中間位置に被嵌状に配置しその底壁３１に上記垂木５の傾斜角度と同一角度の傾斜ボルト孔３２を貫通設置した断面Ｕ字状のものとし，吊りボルト３４は該吊り部材２７の上記傾斜ボルト孔３２に傾斜螺装することによって吊り部材２７から垂直方向調整自在に垂下したものとし，該吊りボルト３４の下端に位置するボルト頭を受入れて，これを行なったものとしてある。
【００２３】
吊り部材２７は，上記長尺材たる垂木５の幅に合せたＵ字状溝をなすように対向壁２８と該対向壁２８を下端において連結する底壁３１を備えて，例えば長尺のアルミ押出材を上記レール取付枠２０の横幅程度，本例においては略同長とするように切断加工したＵ字ブロック状のものとしてあり，本例にあって底壁３１は上記対向壁２８の内法幅，即ちＵ字状溝の幅より幅狭とするように対向壁２８から内向きに傾斜乃至湾曲した対向連結壁３０を介してその下面を画するように水平に設置した厚肉のものとし，該厚肉とした底壁３１に傾斜ボルト孔３２を傾斜するように透設してあり，該傾斜ボルト孔３２はこれを，上記垂木５の傾斜角度を吸収し，吊り部材２７を垂木５に被嵌状に配置することによって傾斜状態としたとき該傾斜ボルト孔３２が傾斜することなくその長手方向にいずれの位置においても常に垂直のボルト孔をなすように，垂木５と同一の傾斜角度に透設し且つボルト孔としてその孔壁に雌ネジを刻設したものとしてある。
【００２４】
このとき該吊り部材２７は，上記対向連結壁３０を対向壁２８と底壁３１間に介設することによって該対向連結壁３０の上端がＵ字状溝を下端で画して，上記垂木５への被嵌状の配置に際してその被嵌深さ位置，即ち呑み込み深さ位置を規制し，その下位に対向連結壁３０の高さに応じた空間を形成するようにし，該空間を，底壁３１の上記傾斜ボルト孔３２から傾斜螺装する吊りボルト３４の上下方向の進退スペースをなして，垂木５への被嵌状の配置によって該垂木５の下面が吊りボルト３４の上下方向の進退を阻害することのないようにしてある。
【００２５】
吊りボルト３４は，ボルト頭を下方に向けて底壁３１の下面側から，上記垂木５の傾斜角度を吸収する傾斜ボルト孔３２に傾斜螺装してあり，これによって該吊りボルト３４が同様に垂木５の傾斜角度を吸収して上記被嵌状の配置によって垂木５の長手方向の位置を問わずに常に垂直の螺装状態をなすようにしてある。
【００２６】
吊り部材２７は上記垂木５をＵ字状溝に受入れるようにその下面側から被嵌状に配置し，垂木５の長手方向任意の中間位置，本例にあってはテラス屋根１の出幅方向中間位置において，例えば対向壁２８から垂木５に対してネジ３３止めすることによってその所定位置に固定して，該所定位置でそれぞれレール取付枠２０を吊り支持するようにしてある。
【００２７】
このとき本例にあって，上記垂木５とこれを被嵌する吊り部材２７間に，該吊り部材２７を垂木５の長手方向にスライド案内自在に支持する一方を突条とし，他方を溝条としたスライドガイドを配置し，本例において，上記垂木５又は吊り部材２７におけるスライドガイド一方の突条又は溝条を上下に複数条平行に配置し，該複数条の突条又は溝条を上記吊り部材２７又は垂木５におけるスライドガイド他方の溝条又は突条に対して選択的に係合自在とし吊り部材２７の垂木５に対する被嵌深さを可変としたものとしてあり，これによりスライドガイドによって吊り部材２７を垂木５の長手方向にスライド移動してその位置調整を自在とする一方，傾斜配置した垂木５における長手方向の位置により異なる高さを吊り部材２７の被嵌深さを段階的に可変とすることによって吊り部材２７設置高さを段階的に設定して，レール取付枠２０高さの段階的調整をなし得るようにしてある。
【００２８】
本例のスライドガイドは，垂木５の下端位置に突条６を，吊り部材２７の上記対向壁２８内側対向面に溝条２９を形成するとともに該吊り部材２７の溝条２９を上下に２乃至３条を配置してあり，このとき溝条２９を相互に共通形状とすることによってその突条６との任意の係合とこれによる吊り部材２７の深さ方向に２段階をなすスライドガイドを選択的に形成し得るものとしてある。
【００２９】
吊り部材２７に傾斜螺装して垂直をなす吊りボルト３４のボルト頭を受入れたレール取付枠２０の吊り支持は，本例にあって該ボルト頭の受入れを，該レール取取付材２０の幅方向中央に配置したボルト受溝又は嵌合溝にスライド案内自在に嵌合配置したボルト受材にボルト頭を回転不能に受入れることによって行い，これにより，上記平行多数の垂木５に直交し水平に吊り支持するように行なったものとしてある。
【００３０】
即ち本例にあってレール取付枠２０はその上面幅方向中央位置に長手方向全長の上向き開口にして断面Ｃ字溝の嵌合溝２１を備え，該嵌合溝２１にボルト受材３５をスライド案内自在に嵌合配置し，上記垂木５の位置で該ボルト受材３５にボルト頭を回転不能に受入れるようにしてあり，本例にあって該ボルト受材３５はボルト頭の対向辺の幅に合せた溝幅を有してボルト頭をスライド自在にして回転不能とした断面Ｃ字状にして，例えばアルミ，合成樹脂等の押出材を数ｃｍ程度の長さに切断加工した溝部材とし，その幅方向両端に外側に突出した外向きリブを上記Ｃ字溝の嵌合溝における幅方向両端に内側に突出した内向きリブに係合することによってその嵌合配置を行ってあり，このとき該ボルト受材３５の嵌合配置は，例えばレール取付枠２０の長手方向端部から嵌合溝２１に挿入するか，所定位置で上記リブを部分的に切欠き除去して形成した挿入口から嵌合溝２１に挿入して，それぞれ所定位置にスライド移動すればよく，このときボルト頭の受入れは，吊りボルト３４の傾斜螺装によって吊り部材２７からの出寸法を調整した状態で，該ボルト頭を嵌合溝２１に挿入し，その側方からボルト受材３５をスライドすることによって行なうようにすればよい。
【００３１】
このように形成した本例にあってレール取付枠２０の吊り支持は，平行多数の垂木５にそれぞれ吊り部材２７を，垂木５長手方向端部又は挿入口から挿入してそれぞれ所定位置に位置調整し，例えば垂木５側面にその対向壁２８をネジ３３止めするとともにその底壁３１の傾斜ボルト孔３２に傾斜螺装した吊りボルト３４におけるボルト頭の高さを所定高さ位置に位置調整し，レール取付材２０を手持ちしてその嵌合溝２１に各ボルト頭を挿入し，各吊りボルト３４の位置にボルト受材３５を移動してボルト頭の受入れを行なうように，これを行うものとしてある。
【００３２】
一方上記妻梁３間へのレール取付枠２０の突合せ架設は，妻梁３を，その対向側面に一体成形長手方向全長の受条４を具備したものとし，該対向側面の受条４にレール取付枠２０長手方向両端に配置した一対の継手ブロック３９の引掛条４２をそれぞれ引掛載置することによってその対向面間にレール取付枠２０を突合せ架設したものとしてあり，このとき本例にあって平行一対の妻梁３は，その相互に対向する一側の側面を部分的に凹陥し，該凹陥部に上向きに開口するようにＬ字状の突条を配置することによってその長手方向全長に上向き溝状の受条４を該一側の側面と面一となるように具備して，該受条４を該側面の長手方向全長に一連とするように，例えば上下複数条，特に上下に近接して２条を一体成形したものとして構成し，また継手ブロック３９は，これを，側面に一体成形の長手方向全長にして上記受条４に引掛載置自在の引掛条４２を具備した長尺材を上記レール取付枠２０の中空部横幅と略同長又はこれより短い長さとするように切断加工したブロック状に構成し，該一対の継手ブロック３９をその引掛条４２が長手方向両端から突出するように上記レール取付枠２０の中空部長手方向両端に嵌合固定することによって，上記妻梁３の受条４に対する引掛載置を行ったものとしてある。
【００３３】
即ち継手ブロック３９のレール取付枠２０への嵌合固定は，レール取付枠２０の長手方向両端に長孔２３を透設する一方，該長孔２３から継手ブロック３９に配置したタッピングホール４０にネジ４１を仮止め螺入し，該ネジ４１を長孔２３の範囲内でスライドして，継手ブロック３９をレール取付枠２０長手方向に移動することによってその引掛条４２の両端からの突没をなし得るように行なってあり，該継手ブロック３９を用いたレール取付枠２０の架設は，上記妻梁３間に引掛条４２を没入した状態でレール取付枠２０を配置し，上記長孔２３で仮止め螺入したネジ４１をスライドし，継手ブロック３９を長手方向外側に移動して上記引掛条４２を長手方向端部から突出させ，該引掛条４２を妻梁３の受条４に引掛載置することによって，妻梁３の側面にレール取付枠２０の長手方向両端を突き当て状に当接した突合せ架設するように行なったものとしてある。
【００３４】
本例にあってレール取付枠２０の屋根横断状の水平配置は，レール取付枠２０を上記平行多数の垂木５に水平に吊り支持し，これによって妻梁３間にレール取付枠２０の両端が対接する状態に配置した後に，上記継手ブロック３９をスライドしてその長手方向両端を妻梁３に突合せ架設を行なうようにすればよい。
【００３５】
４３は，レール取付枠２０を平行複数の垂木５に吊り支持したことによって形成される隣接する垂木５間の空間を閉鎖するように本例にあって用いた垂木間閉塞用のパネルであり，該パネル４３は，上記レール取付枠２０にパネル受溝２２を配置し，該パネル受溝２２に下端を受入れ支持し，側端を上記吊り部材２７と吊りボルト３４を被覆するように垂木５の側面に配置したカバー材３６に形成した垂直なパネル受溝３７に，上端を垂木５間に架設した横枠４４の水平のパネル受溝４５にそれぞれ受入れ支持したものとしてあり，このとき本例のレール取付枠２０のパネル受溝２２は，上記ボルト受溝又は嵌合溝，本例にあっては嵌合溝２１と平行にその全長に亘るように配置し，該パネル受溝２２と上記カバー材３６及び横枠４４の各パネル受溝３７，４５を同一面上で連続するようにしてこれらによって囲繞される空間に，例えば透明ガラスとしたパネル４３をガスケットを介して嵌着してあり，これによって上記開口部材１０によって仕切られたサンルームスペースの気密性を確保し又は向上するようにしてある。
【００３６】
図中２はテラス屋根１の垂木掛，７は中骨，９はガラスブロックの採光窓，１２は屋根付開放スペース１４に設置したスクリーン，２５はレール取付枠２０の長手方向両端に設置して妻梁３間にレール取付枠２０を仮置きし吊り支持乃至突合せ架設後に妻梁３上面にネジ固定する固定金具，２４はレール取付枠２０の長手方向両端に透設し上記継手ブロック３９のタッピングホール４０への固定ネジ４１を貫通する透孔，２６はレール取付枠２０を妻梁３側面にネジ固定するＬ字金具，３８は上記カバー材３６の裏板を示す。
【００３７】
図示した例は以上のとおりとしたが，例えば傾斜屋根の出幅方向中間位置において屋根構造材に開閉案内レールを水平に設置し，傾斜屋根の構造をなすように傾斜した構造材と水平の構造材同士を固定する如くに，傾斜屋根以外に利用する場合を含めて，長尺材及び直交材を適宜のものとすること，上記垂木とレール取付枠とする場合を含めて直交材の吊り支持を長手方向中間及び／又は両端で単独で行って，長手方向両端の上記継手ブロックによる突合せ架設を用いないようにすること，スライドガイドの形成配置に際して長尺材に溝条を，直交材に突条を配置するようにすること，上記直交材によるボルト頭の受入れを，該直交材の幅方向中央に配置したボルト受溝にスライド案内自在に行なうようにすること，この場合上記と同様にボルト受溝を上向き開口の断面Ｃ字状とし，例えば長尺材との交差位置のピッチで内向きリブを切欠除去することによって，長手方向複数乃至多数箇所での吊り支持を直交材をスライドするように行なうものとすること等も可能であり，これらを含め，本発明の実施に当って，長尺材，直交材，吊り部材，吊りボルト，必要に応じて用いるスライドガイドとこれを形成する突条乃至溝条，ボルト受溝又は嵌合溝に嵌合配置したボルト受材等の各具体的形状，構造，材質，用途，寸法，これらの関係，これらに対する付加等は，上記発明の要旨に反しない限り様々な形態のものとすることができる。
【図面の簡単な説明】
【００３８】
【図１】屋外構築物の斜視図である。
【図２】そのテラス屋根の構造を示す斜視図である。
【図３】レール取付枠の設置状態を示す縦断面図である。
【図４】垂木とレール取付枠の吊り部材による吊り支持の関係を示す斜視図である。
【図５】カバー材を設置した状態の垂木とレール取付枠の直交部分の斜視図である。
【図６】吊り部材によるレール取付枠の吊り支持の関係を示す縦断面図である。
【図７】吊り部材の斜視図である。
【図８】垂木間パネルの取付状態を示す斜視図である。
【図９】妻梁とレール取付枠の関係を示す分解斜視図である。
【図１０】レール取付枠の端部構造を示す分解斜視図である。
【図１１】妻梁とレール取付枠の突合せ架設直前の状態を示す縦断面図である。
【符号の説明】
【００３９】
Ａ  テラス
１  テラス屋根
５  垂木
６  突条
１０  開口部材
１１  開閉案内レール
２０  レール取付枠
２１  嵌合溝
２２  パネル溝
２７  吊り部材
３１  底壁
３２  傾斜ボルト孔
３４  吊りボルト
３５  ボルト受材
４３  パネル
【図１】
2005120728.tif 000003
【図２】
2005120728.tif 000004
【図３】
2005120728.tif 000005
【図４】
2005120728.tif 000006
【図５】
2005120728.tif 000007
【図６】
2005120728.tif 000008
【図７】
2005120728.tif 000009
【図８】
2005120728.tif 000010
【図９】
2005120728.tif 000011
【図１０】
2005120728.tif 000012
【図１１】
2005120728.tif 000013